(57)【特許請求の範囲】
【請求項１】
オリジナルタイトルである映像情報と前記映像情報の許容コピー回数を表すコピー制御情報とを保持するメモリ部と、
前記映像情報のストリームを複数のタイトルに分割し、前記複数のタイトルの各々に前記コピー制御情報を付加し、各タイトルのコピーに伴ってこのタイトルに付加された前記コピー制御情報の許容コピー回数を減じる制御部を備え、
前記制御部は、
チャプターマーカを前記映像情報のストリーム中の任意の位置に対して設定し、前記チャプターマーカの設定位置を境界として前記映像情報のストリームを分割し、
複数のタイトルを結合する機能を備え、複数のタイトルを結合する場合に前記複数のタイトルにそれぞれ付加された前記コピー制御情報のうちで最も少ない許容コピー回数を、再結合後のタイトルに付加されるコピー制御情報に設定するように構成されることを特徴とするコピー制御情報継承装置。
【請求項２】
オリジナルタイトルである映像情報と前記映像情報の許容コピー回数を表すコピー制御情報とを保持し、
前記映像情報のストリームを複数のタイトルに分割し、
前記複数のタイトルの各々に前記コピー制御情報を付加し、
各タイトルのコピーに伴ってこのタイトルに付加された前記コピー制御情報の許容コピー回数を減じ、
チャプターマーカを前記映像情報のストリーム中の任意の位置に対して設定し、前記チャプターマーカの設定位置を境界として前記映像情報のストリームを分割し、
複数のタイトルを結合する場合に前記複数のタイトルにそれぞれ付加された前記コピー制御情報のうちで最も少ない許容コピー回数を再結合後のタイトルに付加されるコピー制御情報に設定することを特徴とするコピー制御情報継承方法。
【発明の詳細な説明】
【技術分野】
【０００１】
本発明は、タイトル分割に際してコピー回数を制限するコピー制御情報を継承させるコピー制御情報継承装置およびコピー制御情報継承方法に関する。
【背景技術】
【０００２】
現在、日本のデジタル放送は「１回のみコピー可（Copy One Generation: COG）」という制御情報を付加した映像情報を放送電波として送信している。これに伴い、放送電波を受信する記録装置側では、番組の録画に際して「コピー不可(No More Copy: NMC)」という状態の映像情報を記録媒体に記録している。このため、記録装置のユーザは私的利用であっても、記録媒体上の映像情報を複製することができない。
【０００３】
近年では、このような制約を緩和しようという方向性で検討が行われている。この検討において、例えば９回程度コピーを認めることが提案されている。例えばハードディスク内蔵のＤＶＤレコーダを例とすると、ハードディスクにファイルとして保存された映像情報がオリジナルタイトルであるとみなされ、このオリジナルタイトルをＤＶＤに記録する動作が１回目のコピーとなる。このコピー後、オリジナルタイトルは「あと８回」だけハードディスクからＤＶＤにコピーすることが可能である。この許容コピー回数は１回コピーを行う毎に「１」ずつ減少し、「あと０回」になったときに、ハードディスクからのコピーが禁止される。
【０００４】
一方、現在市販されているハードディスク内蔵のＤＶＤプレーヤのような記録再生装置では、一般に放送番組の録画開始時点から録画終了時点までに得られた映像情報が１ファイルとしてハードディスクに保存され、「タイトル」として扱われる。また、これらＤＶＤプレーヤの多くが、このタイトルを分割して特定シーンから別のシーンまでの区間を「チャプター」としてユーザが利用できるように構成されている。例えば歌番組の映像情報からなるオリジナルのタイトルがハードディスク上に保存されている場合、ユーザは「チャプター設定」操作を行って曲単位のチャプター設定することにより曲検索を容易にできる。
【０００５】
上述のようなＤＶＤレコーダでチャプターのコピーを行う場合、許容コピー回数の管理が極めて重要となる。許容コピー回数が例えばオリジナルタイトル単位に管理されるとすれば、タイトル内のチャプターのうちの任意の１つ、例えば１曲分のチャプターについてコピーを行っただけで、このタイトルに割当てられた許容コピー回数を１回消費する。従って、８曲分のチャプターについてコピーすると、このタイトルに他の曲が収録されていても、これ以上のコピーが禁止される結果となる。
【０００６】
ちなみに、チャプターマーカを許容コピー回数の変化点に挿入してチャプターの範囲を定義しチャプター単位にコピーを制限する方式が提案されている（例えば、特許文献１を参照）。また、許容コピー回数をビデオテープ等のトラック毎に記録しこのトラック単位にコピーを制限する方式も提案されている（例えば、特許文献２を参照）。
【特許文献１】特開２００６−１７９１４９号公報
【特許文献２】特開平１０−３１２６３４号公報
【発明の開示】
【発明が解決しようとする課題】
【０００７】
しかしながら、特許文献１の方式は、ユーザがチャプターマーカの挿入や削除を自由に行うことのできる編集能力の高いＤＶＤレコーダに適用することが困難である。すなわち、許容コピー回数がチャプター毎に管理されるものの、チャプターマーカの位置、すなわちタイトル分割の境界がユーザによって任意に変更されると、許容コピー回数を管理できなくなる。また、特許文献２の方式は許容コピー回数が全てのトラックに記録されるため、コピーが行われたトラックの数だけ許容コピー回数の書換えが必要とされ、実装上のコストの増大や記録媒体を劣化させ易いという問題がある。
【０００８】
本発明はこのような課題に鑑みてなされたものであり、タイトル分割用の境界配置を制約することなくコピー制御情報を確実に継承することが可能なコピー制御情報継承装置およびコピー制御情報継承方法を提供することを目的とする。
【課題を解決するための手段】
【０００９】
本発明の第１観点によれば、オリジナルタイトルである映像情報と前記映像情報の許容コピー回数を表すコピー制御情報とを保持するメモリ部と、
前記映像情報のストリームを複数のタイトルに分割し、前記複数のタイトルの各々に前記コピー制御情報を付加し、各タイトルのコピーに伴ってこのタイトルに付加された前記コピー制御情報の許容コピー回数を減じる制御部を備え、前記制御部は、チャプターマーカを前記映像情報のストリーム中の任意の位置に対して設定し、前記チャプターマーカの設定位置を境界として前記映像情報のストリームを分割し、複数のタイトルを結合する機能を備え、複数のタイトルを結合する場合に前記複数のタイトルにそれぞれ付加された前記コピー制御情報のうちで最も少ない許容コピー回数を、再結合後のタイトルに付加されるコピー制御情報に設定するように構成されることを特徴とするコピー制御情報継承装置が提供される。
【００１０】
本発明の第２観点によれば、オリジナルタイトルである映像情報と前記映像情報の許容コピー回数を表すコピー制御情報とを保持し、前記映像情報のストリームを複数のタイトルに分割し、前記複数のタイトルの各々に前記コピー制御情報を付加し、
各タイトルのコピーに伴ってこのタイトルに付加された前記コピー制御情報の許容コピー回数を減じ、チャプターマーカを前記映像情報のストリーム中の任意の位置に対して設定し、前記チャプターマーカの設定位置を境界として前記映像情報のストリームを分割し、複数のタイトルを結合する場合に前記複数のタイトルにそれぞれ付加された前記コピー制御情報のうちで最も少ない許容コピー回数を再結合後のタイトルに付加されるコピー制御情報に設定することを特徴とするコピー制御情報継承方法が提供される。
【発明の効果】
【００１１】
これらコピー制御情報継承装置およびコピー制御情報継承方法では、オリジナルタイトルである映像情報のストリームが複数のタイトルに分割されると、コピー制御情報がこれら複数のタイトルの各々に付加され、各タイトルのコピーに伴ってコピー制御情報の許容コピー回数が減じられる。従って、タイトル分割用の境界がチャプターマーカによって映像情報のストリームのどこに配置されても、コピー制御情報がこれにより得られた複数のタイトルの各々に付加される。すなわち、タイトル分割用の境界配置を制約することなくコピー制御情報を確実に継承することが可能となる。また、コピー制御情報はタイトル分割時にしか追加されないため、書換え回数やメモリ容量の増大を防止できる。
【発明を実施するための最良の形態】
【００１２】
以下、本発明の一実施形態に係るＤＶＤレコーダについて添付図面を参照して説明する。
【００１３】
図１はこのＤＶＤレコーダの回路構成を概略的に示す。ＤＶＤレコーダ２０はアンテナ２０で受信される放送電波から得られる映像情報をＤＶＤに記録し、ディスプレイＤＳＰに表示させるために用いられる。このＤＶＤレコーダ２０はデジタルチューナ２１、ＭＰＥＧデコーダ２２、ＭＰＥＧエンコーダ２３、ＣＰＵ２４、バッファメモリ２５、ＨＤＤユニット２６、ＤＶＤユニット２７、およびＵＳＢインターフェース２８を備える。デジタルチューナ２１はアンテナで受信された放送電波から映像情報を抽出してＭＰＥＧデコーダ２２に出力する。ＭＰＥＧデコーダ２２は映像情報をＭＰＥＧデコードにより伸張してディスプレイＤＳＰおよびＭＰＥＧエンコーダ２３に出力する。ディスプレイ１７はＭＰＥＧデコーダ１６から得られる映像情報を表示する。また、ＭＰＥＧエンコーダ２３は映像情報をＤＶＤ映像記録規格のＭＰＥＧエンコードにより再圧縮し、この映像情報をバッファメモリ２５に格納する。ＣＰＵ２４はＤＶＤレコーダ２０全体の動作を制御するコントローラとして設けられ、図示しない操作部を含む。ＣＰＵ２４はバッファメモリ２５に格納された映像情報をＤＶＤ映像記録フォーマットのタイトルファイルとしてＨＤＤユニット１５に保存し、さらにこの映像情報をＨＤＤユニット２６からバッファメモリ２５を介してこの映像情報をＤＶＤユニット２７に出力してＤＶＤに記録する。また、ＣＰＵ２４はＤＶＤに記録された映像情報の再生をＤＶＤユニット２７に行わせ、ＤＶＤユニット２７により再生された映像情報をＭＰＥＧデコーダ２２にバッファメモリ２５を介して供給する。この場合、ＭＰＥＧデコーダ２２はバッファメモリ２５からの映像情報をＭＰＥＧデコードにより伸張してディスプレイＤＳＰに表示させる。
【００１４】
ちなみに、放送番組の映像情報に対するコピー制御情報がデジタルチューナ２１で受信された場合には、映像情報が「コピー不可（ＮＭＣ）」の状態になるように暗号化処理を行ってオリジナルタイトルとしてＨＤＤユニット２６に保存され、このタイトルの映像情報がコピー制御情報の許容コピー回数の範囲でＤＶＤへ記録される。この場合、ＣＰＵ２４が暗号を解除しながら映像情報をバッファメモリ２５に読込み、さらにこのバッファメモリ２５内の映像情報をＤＶＤ用に暗号化しながらこの映像情報をＤＶＤに記録するＤＶＤユニット２７の制御を行う。また、コピー制御情報が「１回のみコピー可（COG）」であれば、ＨＤＤユニット２６内の映像情報がコンテンツムーブ処理としてＤＶＤへの記録後に削除される。  
図２は上述のＤＶＤ映像記録フォーマットの管理情報を概念的に示す。本実施形態では、ＤＶＤユニット２７のＤＶＤだけでなくＨＤＤユニット２６のハードディスクに対しても、映像情報がＤＶＤ映像記録フォーマットに準拠して記録される。この場合、ＭＰＥＧエンコーダ２３から得られるＭＰＥＧ形式の映像情報は「ＶＲＯファイル」というファイルに組み込まれ、この映像情報の管理情報が「ＩＦＯファイル」というファイルに組み込まれる。図２において、ＶＯＢはＶＲＯファイル内の映像情報において連続したＭＰＥＧストリーム（タイトル）の範囲を示すＶＯＢ情報(Video Object Information)であり、ＰＧＩはユーザにタイトルを認識させるためのプログラム情報(Program Information)であり、ＣＩはＰＧＩとＶＯＢとの関連付けを行うセル情報（Cell Information）であり、ＥＰＩは任意の数だけＣＩに設けられるエントリーポイント情報(Entry Point Information)である。ＥＰＩの規格上の意味は、リモコンのスキップキーを押したとき、その位置までジャンプさせて再生を開始する位置のことである。但し本実施形態では、ＥＰＩがチャプターマーカの位置を表し、このマーカ位置から次のマーカ位置までの区間をユーザに「チャプター」として認識させるためにも用いられている。
【００１５】
デジタル放送番組の録画時、許容コピー回数を表すコピー制御情報はＰＧＩに記憶される。ＰＧＩは、図２に示すように映像情報全体に対して設けられている。このＰＧＩ内のコピー制御情報の許容コピー回数が「あと２回」である場合、タイトル全体をＤＶＤにコピーすると、許容コピー回数が「１」だけ減少した「あと１回」に更新される。さらにもう１回コピーが行われると、許容コピー回数が「あと０回」になって、コピーが禁止される。
【００１６】
非常に長時間の番組を録画すると、タイトル全体をＤＶＤに収録できなくなる。そこで、例えばこのタイトルを「チャプター１」、「チャプター２」 、「チャプター３」のように３分割して、各々１枚のＤＶＤに収録可能なチャプターサイズにすることができる。しかしながら、ＰＧＩ内のコピー制御情報の許容コピー回数が「あと２回」であると、「チャプター１」および「チャプター２」のコピーは許可されるが、「チャプター３」のコピーは禁止されてしまう。
【００１７】
この不都合を解消するため、図２の「チャプター１」、「チャプター２」、「チャプター３」に相当する範囲を、図３のように３つの部分タイトルに分割する機能を設ける。具体的には３つのチャプターマーカが設定されたのち、ユーザ操作による「チャプターのタイトル化」という操作が行われると、これらチャプターマーカを境界として「チャプター１」、「チャプター２」、「チャプター３」に相当する３つの部分タイトルに分割される。これは、ＩＦＯファイルにおいてＰＧＩ＃１〜＃３、ＣＩ＃１〜＃３、およびＶＯＢ＃１〜＃３をこれら部分タイトル用にそれぞれに設けることにより実現される。コピー制御情報はこれら部分タイトル用のＰＧＩ＃１〜＃３に組み込まれる。但し、コピー制御情報の記憶先はこれらＰＧＩ＃１〜＃３ではなく、例えばＶＯＢ＃１〜＃３にしてもよい。
【００１８】
図４はＤＶＤ映像記録規格で規定されたＩＦＯファイルの構成を示す。このＩＦＯファイルはＲＴＲビデオマネージャ情報(RTR Video Manager Information)、ムービーＡＶファイル情報テーブル(Movie AV File Information Table)、静止画ＡＶファイル情報テーブル(Still Picture AV File Information Table)、オリジナルＰＧＣ情報(Original PGC Information)、ユーザ定義ＰＧＣ情報テーブル(User Defined PGC Information Table)、テキストデータマネージャ(Text Data Manager)、および製造者情報テーブル(Manufacturer's Information Table)を含む。ここで、ムービーＡＶファイル情報テーブルは、Ｍ＿ＡＶＦＩＴ情報(M_AVFIT Information)、ムービーＶＯＢストリーム情報(Movie VOB Stream Information)＃１〜＃ｎ、ムービーＡＶファイル情報(Movie AV File Information)を含む。
【００１９】
図５は図４に示すユーザ定義ＰＧＣ情報テーブルにおいてタイトル毎に用意されるＰＧＣ情報(PGC Information)＃ｉの構成を示す。ＰＧＣ情報＃ｉは図３に示すＰＧＩと等価である。このＰＧＣ情報＃ｉはＰＧＣゼネラル情報(PGC General Information)、ＰＧ情報(PG Information)＃１〜＃ｍ、ＣＩサーチポインタ(CI Search Pointer)＃１〜＃ｎ、およびセル情報(Cell Information)＃１〜＃ｎを含む。図６は図５に示すＰＧ情報内のテーブル構成を示す。ＰＧ情報内のテーブルには、予約のフィールドとして、１バイトの領域が含まれる。このため、コピー制御情報はこの１バイトの領域を利用して記憶される。
【００２０】
図７は図４に示すムービーＶＯＢストリーム情報＃１〜＃ｎの各々の構成を示す。ムービーＶＯＢストリーム情報＃１〜＃ｎはＶＲＯファイルに格納された映像情報を分割して得られた全タイトルに対して設けられるものである。各ムービーＶＯＢストリーム情報＃ｉはムービーＶＯＢジェネラル情報(Movie VOB General Information)、シームレス情報(Seamless Information)、オーディオギャップ情報(Audio Gap Information)、およびタイムマップ情報(Time Map Information)を含む。図８は図７に示すムービーＶＯＢジェネラル情報内のテーブル構成を示す。ムービーＶＯＢジェネラル情報が上述のＰＧＩと一緒に設けられるＶＯＢに相当する。このムービーＶＯＢジェネラル情報内のテーブルには、コピー保護予約のフィールドとして、２バイトの領域が含まれる。ＶＯＢがコピー制御情報の記憶先である場合には、このコピー制御情報がこれら２バイトの領域のうちの１バイトを利用して記憶される。
【００２１】
図９はこのＤＶＤレコーダ２０の動作のコピー制御情報継承動作を示す。ＤＶＤレコーダ２０では、ＨＤＤユニット２６がタイトル毎の映像情報と映像情報の許容コピー回数を表すコピー制御情報とを保持し、ＣＰＵ２４が映像情報のストリームを分割するチャプターマーカを設定し、チャプターマーカを境界にして得られる一対の部分タイトルの各々にコピー制御情報を付加し、各部分タイトルのコピーに伴ってこの部分タイトルに付加されたコピー制御情報の許容コピー回数を減じる制御部として機能する。また、本実施例の装置では複数のタイトルを結合する機能を備える。ＣＰＵ２４はこのタイトル結合の機能により部分タイトルを結合する場合にこれら部分タイトルにそれぞれ付加されたコピー制御情報のうちで最も少ない許容コピー回数を再結合後のタイトルに付加されるコピー制御情報に設定するように構成される制御部として機能する。図９に示すように、オリジナルタイトルである映像情報はＶＲＯファイルとしてＨＤＤユニット２６に保持される。映像情報ストリームをチャプターマーカ（ＥＰＩ）で複数のタイトルに分割する場合、このＶＲＯファイル内の映像情報を管理するＩＦＯファイル内においてタイトル単位に記憶されたコピー制御情報の許容コピー回数が図９に示すように変化する。
【００２２】
コピー制御情報の許容コピー回数が９回であるとすると、最初にタイトル分割されたときに許容コピー回数＝９回がチャプターマーカを境界とする一対の部分タイトル用のコピー制御情報にそれぞれ設定される。続いて、これら部分タイトルの一方についてコピーが行われると、この部分タイトル用のコピー制御情報が許容コピー回数＝８回に減少する。さらに、この部分タイトルを新規にタイトル分割すると、許容コピー回数＝８回がチャプターマーカを境界とする一対の部分タイトル用のコピー制御情報にそれぞれ設定される。続いて、これら部分タイトルのうちの一方についてコピーが行われると、この部分タイトル用のコピー制御情報が許容コピー回数＝７回に減少する。この後、ユーザからタイトル結合が指示されるとＣＰＵ２４のタイトル結合の機能により分割された複数の部分タイトルが結合され、全ての部分タイトル用のコピー制御情報のうちで最も少ない許容コピー回数＝７回が再結合後のタイトルに付加されるコピー制御情報に設定される。
【００２３】
上述の実施形態では、オリジナルタイトルである映像情報のストリームが複数の部分タイトルに分割されると、コピー制御情報がこれら複数の部分タイトルの各々に付加され、各部分タイトルのコピーに伴ってコピー制御情報の許容コピー回数が減じられる。従って、タイトル分割用の境界がチャプターマーカによって映像情報のストリームのどこに配置されても、コピー制御情報がこれにより得られた複数の部分タイトルの各々に付加される。すなわち、タイトル分割用の境界配置を制約することなくコピー制御情報を確実に継承することが可能となる。また、コピー制御情報はタイトル分割時にしか追加されないため、書換え回数やメモリ容量の増大を防止できる。なお、ユーザからタイトル結合が指示されるとＣＰＵ２４のタイトル結合の機能により分割された複数の部分タイトルが結合される。
【００２４】
尚、本発明は上述の実施形態に限定されず、その要旨を逸脱しない範囲で様々に変形可能である。
【図面の簡単な説明】
【００２５】
【図１】本発明の一実施形態に係るＤＶＤレコーダの回路構成を概略的に示す図である。
【図２】図１に示すＤＶＤレコーダで用いられるＤＶＤ映像記録フォーマットの管理情報を概念的に示す図である。
【図３】図２に示す管理情報を補完するＤＶＤ映像記録フォーマットの管理情報を概念的に示す図である。
【図４】図１に示すＤＶＤレコーダが準拠するＤＶＤ映像記録規格で規定されたＩＦＯファイルの構成を示す図である。
【図５】図４に示すユーザ定義ＰＧＣ情報テーブルにおいてタイトル毎に用意されるＰＧＣ情報の構成を示す図である。
【図６】図５に示すＰＧ情報内のテーブル構成を示す図である。
【図７】図４に示すムービーＶＯＢストリーム情報の構成を示す図である。
【図８】図７に示すムービーＶＯＢジェネラル情報内のテーブル構成を示す図である。
【図９】図１に示すＤＶＤレコーダの動作のコピー制御情報継承動作を示す図である。
【符号の説明】
【００２６】
２０…ＤＶＤレコーダ、２４…ＣＰＵ、２５…バッファメモリ、２６…ＨＤＤユニット、２７…ＤＶＤユニット。
【図１】
0004940052.tif 000002
【図２】
0004940052.tif 000003
【図３】
0004940052.tif 000004
【図４】
0004940052.tif 000005
【図５】
0004940052.tif 000006
【図６】
0004940052.tif 000007
【図７】
0004940052.tif 000008
【図８】
0004940052.tif 000009
【図９】
0004940052.tif 000010